(57)【要約】【課題】空気調和機の据付時に誤配線されたときでも室外機の通信回路が破壊せず、据付工事時の工事ミスによる基板交換を低減させる空気調和機の通信制御装置を提供すること。【解決手段】本発明の空気調和機の通信制御装置は、室内機は、室内機に設けられた室内外を接続する室内外接続用端子台と、室内機内部の構成部品に電源を供給する室内電源手段と、室内機と室外機との間の通信を行う室内通信手段と、室内外接続用端子台に誤配線されたときに室内通信手段を保護する室内通信保護手段とを有し、室外機は、商用電源を接続する室外機に設けられた電源用端子台と、室外機の室外制御手段等に電源を供給する室外電源手段と、室外機と室内機との間の通信を行う室外通信手段と、室内外接続用端子台に商用電源が誤配線された時に室外通信手段の回路を保護する室外通信保護手段とを有している。【選択図】図１
2012241914.tif 000002
【特許請求の範囲】
【請求項１】
室外機および室内機で構成される空気調和機の通信制御装置であって、前記室内機は、前記室内機に設けられた室内外を接続する室内外接続用端子台と、前記室内機内部の構成部品に電源を供給する室内電源手段と、前記室内機と前記室外機との間の通信を行う室内通信手段と、室内外接続用端子台に誤配線されたときに室内通信手段を保護する室内通信保護手段とを有し、前記室外機は、商用電源を接続する前記室外機に設けられた電源用端子台と、室外機の室外制御手段等に電源を供給する室外電源手段と、前記室外機と前記室内機との間の通信を行う室外通信手段と、室内外接続用端子台に商用電源が誤配線された時に室外通信手段の回路を保護する室外通信保護手段とを有していることを特徴とする空気調和機の通信制御装置。
【請求項２】
前記室外通信保護手段および前記室内通信保護手段は、ＰＴＣおよびツェナーダイオードで構成されることを特徴とする請求項１に記載の空気調和機の通信制御装置。
【発明の詳細な説明】
【技術分野】
【０００１】
本発明は、セパレート型空気調和機の通信回路の過電圧保護に関するものである。
【背景技術】
【０００２】
従来、この種の空気調和機は、室内マイコンに並列に設けた室内通信送信フォトカプラ及び、室内通信受信フォトカプラと、室内通信受信フォトカプラに第１の室内ダイオードと直列にＰＴＣサーミスタを設けて、誤配線してＡＣ電源を接続しても、室内通信回路の破壊を防ぐようにしている（例えば、特許文献１参照）。
【先行技術文献】
【特許文献】
【０００３】
【特許文献１】特開２００１−３３０２９７号公報
【発明の概要】
【発明が解決しようとする課題】
【０００４】
しかしながら、前記従来の構成では、室内通信受信フォトカプラに第１の室内ダイオードと直列にＰＴＣサーミスタを設けたもので、誤配線時の室内機のみの通信回路の保護であり、室外機の通信回路の保護が出来ないという課題を有していた。
【０００５】
本発明は、前記従来の課題を解決するもので、空気調和機の据付時に誤配線されたときでも室外機の通信回路が破壊せず、据付工事時の工事ミスによる基板交換を低減させる空気調和機の通信制御装置を提供することを目的とする。
【課題を解決するための手段】
【０００６】
前記従来の課題を解決するために、本発明の空気調和機の通信制御装置は、室外機および室内機で構成される空気調和機の通信制御装置であって、室内機は、室内機に設けられた室内外を接続する室内外接続用端子台と、室内機内部の構成部品に電源を供給する室内電源手段と、室内機と室外機との間の通信を行う室内通信手段と、室内外接続用端子台に誤配線されたときに室内通信手段を保護する室内通信保護手段とを有し、室外機は、商用電源を接続する室外機に設けられた電源用端子台と、室外機の室外制御手段等に電源を供給する室外電源手段と、室外機と室内機との間の通信を行う室外通信手段と、室内外接続用端子台に商用電源が誤配線された時に室外通信手段の回路を保護する室外通信保護手段とを有していることにより、据付け時に誤配線されても室外機側の通信回路も保護することができる。
【発明の効果】
【０００７】
本発明は、空気調和機の据付時に誤配線されたときでも室外機の通信回路が破壊せず、据付工事時の工事ミスによる基板交換を低減させる空気調和機の通信制御装置を提供することができる。
【図面の簡単な説明】
【０００８】
【図１】本発明の実施の形態１における空気調和機の構成ブロック図
【図２】本発明の実施の形態２における空気調和機の構成ブロック図
【発明を実施するための形態】
【０００９】
第１の発明の空気調和機の通信制御装置は、室外機および室内機で構成される空気調和機の通信制御装置であって、室内機は、室内機に設けられた室内外を接続する室内外接続
用端子台と、室内機内部の構成部品に電源を供給する室内電源手段と、室内機と室外機との間の通信を行う室内通信手段と、室内外接続用端子台に誤配線されたときに室内通信手段を保護する室内通信保護手段とを有し、室外機は、商用電源を接続する室外機に設けられた電源用端子台と、室外機の室外制御手段等に電源を供給する室外電源手段と、室外機と室内機との間の通信を行う室外通信手段と、室内外接続用端子台に商用電源が誤配線された時に室外通信手段の回路を保護する室外通信保護手段とを有していることにより、据付け時に誤配線されても室外機側の通信回路も保護することができる。
【００１０】
第２の発明の空気調和機の通信制御装置は、特に第１の発明において、前記室外通信保護手段および前記室内通信保護手段は、ＰＴＣおよびツェナーダイオードで構成されることにより、安価で通信手段の回路破壊を保護することができる。
【００１１】
以下、本発明の実施の形態について、図面を参照しながら説明する。なお、この実施の形態によって本発明が限定されるものではない。
【００１２】
（実施の形態１）
図１は、本発明の実施の形態１における空気調和機の構成ブロック図である。図１において、室外機１に設けられた室内外接続用端子台３と、室内機２に設けられた室内外接続用端子台４と、商用電源を接続する室外機１内に設けられた電源接続用端子台５と、室内機２内の室内制御手段６等に電源を供給する室内電源手段７と、室内機２室外機１間の通信を行う室内通信手段８と、室内外接続用端子台４に誤配線されたときに通信回路を保護する室内通信保護手段９と、室外機１内の室外制御手段１０等に電源を供給する室外電源手段１１と、室外機１室内機２間の通信を行う室外通信手段１２と、室内外接続用端子台３のポート２およびポート３間に商用電源１４が誤配線された時に室外通信手段１２の回路を保護する室外通信保護手段１３とから構成している。
【００１３】
以上のように構成された空気調和機について、以下その動作、作用を説明する。
【００１４】
まず空気調和機の据付工事時に室外機１内に設けられた電源接続用端子台５に接続されるはずの商用電源１４が、室外機１内に設けられた室内外接続用端子台３のポート２およびポート３間に誤配線されると、室外通信保護手段１３が室外通信手段１２に商用電源が印加され破壊されないように保護する。
【００１５】
以上のように本実施の形態においては、室外機１内に設けられた室内外接続用端子台３のポート２およびポート３間に商用電源１４が誤配線された時にでも、室外通信保護手段１３が室外通信手段１２の回路破壊を保護することができる。
【００１６】
（実施の形態２）
図２は、本発明の実施の形態２における空気調和機の構成ブロック図である。図２においては、室内通信保護手段９が、室内外接続用端子台４に誤配線されたときに通信回路を保護するＰＴＣ１５とツェナーダイオード１６で構成されており、また室外通信保護手段１３が、商用電源１４が誤配線された時に室外通信手段１２の回路を保護するＰＴＣ１５とツェナーダイオード１６で実現した室外通信保護手段１３とから構成されている。
【００１７】
以上のように構成された空気調和機について、以下その動作、作用を説明する。
【００１８】
まず空気調和機の据付工事時に室外機１内に設けられた電源接続用端子台５に接続されるはずの商用電源１４が、ツェナーダイオード１６により電圧がクランプされ電圧を調整することができ、室外通信手段１２に調整した電圧以上印加されないように設定できる。ＰＴＣ１５はツェナーダイオード１６を保護するもので、過電流が流れないように調整す
ることができる。
【００１９】
以上のように本実施の形態においては、室外機１内に設けられた室内外接続用端子台３のポート２およびポート３間に商用電源１４が誤配線された時にでも、室外通信保護手段１３をＰＴＣ１５と、ツェナーダイオード１６で実現することができ、安価で室外通信手段１２の回路破壊を保護することができる。
【産業上の利用可能性】
【００２０】
以上のように、本発明にかかる通信回路は、室外機と室内機の通信回路が誤配線により通信回路に電源電圧が印加された場合に通信回路とその保護手段が破壊されることを防ぐことができるので、空気調和機以外にも、分離された機器間で通信を行う用途に広く適用することができる。
【符号の説明】
【００２１】
１  室外機
２  室内機
５  電源接続用端子台
６  室内制御手段
７  室内電源手段
８  室内通信手段
９  室内通信保護手段
１０  室外制御手段
１１  室外電源手段
１２  室外通信手段
１３  室外通信保護手段
【図１】
2012241914.tif 000003
【図２】
2012241914.tif 000004